(57)【特許請求の範囲】
【請求項１】
音声情報または映像情報である主情報に複数の付加情報が多重された放送を受信する受信部と、
複数の付加情報の記録用のメモリと、
複数の付加情報の表示用のディスプレイと、
複数の付加情報を前記メモリに記録させる操作手段と、
前記操作手段が操作されたとき、前記受信部で受信された複数の付加情報を、項目別のデータ構造にして、主情報と対応づけて、前記メモリに記録する制御部とを有し、
前記制御部は、
前記メモリに記録された複数の付加情報を前記ディスプレイ上に表示するとき、各主情報単位で複数の付加情報の表示を切り換えるとともに、ユーザによって指定された第１の項目のデータに基づいて当該複数の付加情報の表示の順番を決定し、
ユーザによって指定された第２の項目のデータを検索データとして、現在放送されているまたは以後放送される複数の主情報の付加情報を順次検索して、当該付加情報中に検索データが含まれている主情報を検出する、
ことを特徴とする受信機。
【請求項２】
前記制御部は、最初に検索データが検出された主情報を選局することを特徴とする請求項１記載の受信機。
【請求項３】
前記制御部は、付加情報中に検索データが含まれている主情報が検出されたとき、当該付加情報を前記ディスプレイ上に表示し、ユーザの選択操作によって当該主情報を選局することを特徴とする請求項１記載の受信機。
【請求項４】
前記制御部は、現在放送されているまたは以後放送される複数の主情報の付加情報を検索した後、当該付加情報中に検索データが含まれている主情報の付加情報を一括して前記ディスプレイ上に表示し、その中のユーザによって選択された主情報を選局することを特徴とする請求項１記載の受信機。
【請求項５】
前記操作手段は、回動部と押下部からなり、当該回動部の操作により前記付加情報の表示が切り換えられ、当該押下部の操作により選択または決定が行われることを特徴とする請求項１記載の受信機。
【請求項６】
音声情報または映像情報である主情報に複数の付加情報が多重された放送を受信する受信ステップと、複数の付加情報をメモリに記録する記録ステップと、複数の付加情報をディスプレイ上に表示する表示ステップと、制御ステップとを含み、
前記制御ステップでは、
前記記録ステップでは、ユーザの操作に基づいて、前記受信ステップで受信された複数の付加情報を、項目別のデータ構造にして、主情報と対応づけて、前記メモリに記録し、
前記表示ステップで、前記メモリに記録された複数の付加情報を前記ディスプレイ上に表示するときには、各主情報単位で複数の付加情報の表示を切り換えるとともに、ユーザによって指定された第１の項目のデータに基づいて当該複数の付加情報の表示の順番を決定し、
ユーザによって指定された第２の項目のデータを検索データとして、現在放送されているまたは以後放送される複数の主情報の付加情報を順次検索して、当該付加情報中に検索データが含まれている主情報を検出する、
ことを特徴とする受信方法。
【発明の詳細な説明】
【０００１】
【発明の属する技術分野】
この発明は、デジタルラジオ放送などの、音声情報（音響情報）または映像情報である主情報に付加情報が多重された放送を受信する受信機に関する。
【０００２】
【従来の技術】
デジタルラジオ放送は、欧州では、Ｅｕｒｅｋａ１４７方式のＤＡＢ（Ｄｉｇｉｔａｌ  Ａｕｄｉｏ  Ｂｒｏａｄｃａｓｔｉｎｇ）として、すでに放送が開始されており、日本や米国などでも、放送が考えられている。
【０００３】
デジタルラジオ放送では、音楽などの音声情報を高品質で伝送することができるだけでなく、番組に関連するテキストデータや画像ファイルなどの付加情報を、主情報である音声情報に多重して放送することができる。
【０００４】
付加情報としては、（１）サービスＩＤ（識別情報）、放送局名、番組名、番組カテゴリーなどの情報、（２）番組内容に関する情報として、音楽番組であれば、アーティスト名や曲名などの情報、（３）タイムスタンプ（時刻情報）、（４）その他の付随情報（追加情報）、が考えられる。
【０００５】
付随情報は、例えば、音楽番組であれば、番組で放送される曲の歌詞や、番組に出演するアーティストのコンサートに関する事柄などを示すテキストデータであるが、例えば、番組で放送される曲が記録されているＣＤのジャケットの画像をＪＰＥＧ（Ｊｏｉｎｔ  Ｐｈｏｔｏｇｒａｐｈｉｃ  Ｅｘｐｅｒｔｓ  Ｇｒｏｕｐ）圧縮し、そのＪＰＥＧファイルの実データと、ＪＰＥＧファイルであることを示すヘッダ情報とを、付加情報の一部の付随情報として放送することも可能である。
【０００６】
このようなデジタルラジオ放送を受信する受信機では、番組を受信したとき、その番組の付加情報が、ＬＣＤ（液晶ディスプレイ）などのディスプレイ上に表示される。したがって、番組の音楽などを聴いているユーザは、ディスプレイを参照し、必要があれば、アーティスト名や曲名、コンサートに関する事柄などをメモしておくことによって、ＣＤやコンサートのチケットの購入などに役立てることができる。
【０００７】
【発明が解決しようとする課題】
しかしながら、受信機が車載機である場合、車の運転中は、ディスプレイを注視することができず、ましてやメモを取ることはできない。また、受信機がポータブル機である場合にも、歩行中など、ディスプレイを注視し、メモを取ることができないときがある。
【０００９】
また、デジタルラジオ放送などの、音声情報または映像情報である主情報に付加情報が多重された放送の放送システムには、現に受信している番組の付加情報だけでなく、同時に放送されている全ての番組の付加情報を受信できるシステムが多い。
【００１０】
そこで、この発明は、ユーザが、ディスプレイを見なくても、容易かつ確実に、必要とする付加情報を保存しておくことができ、後で参照することができるとともに、現に受信している主情報以外の、現在放送されている主情報、または以後放送される主情報の中から、希望する主情報を、現に受信している主情報の聴取または視聴を妨げられることなく、容易かつ確実に検索することができ、選局することができるようにしたものである。
【００１１】
【課題を解決するための手段】
この発明の受信機は、
音声情報または映像情報である主情報に複数の付加情報が多重された放送を受信する受信部と、
複数の付加情報の記録用のメモリと、
複数の付加情報の表示用のディスプレイと、
複数の付加情報を前記メモリに記録させる操作手段と、
前記操作手段が操作されたとき、前記受信部で受信された複数の付加情報を、項目別のデータ構造にして、主情報と対応づけて、前記メモリに記録する制御部とを有し、
前記制御部は、
前記メモリに記録された複数の付加情報を前記ディスプレイ上に表示するとき、各主情報単位で複数の付加情報の表示を切り換えるとともに、ユーザによって指定された第１の項目のデータに基づいて当該複数の付加情報の表示の順番を決定し、
ユーザによって指定された第２の項目のデータを検索データとして、現在放送されているまたは以後放送される複数の主情報の付加情報を順次検索して、当該付加情報中に検索データが含まれている主情報を検出する、
ことを特徴とする。
【００１５】
この発明の受信機では、ユーザは、運転中や歩行中などでも、受信している主情報を聴取しながら、ディスプレイを見ることなく、特定のボタンやキーを押すだけで、必要とする付加情報を保存しておくことができ、後で参照することができるとともに、現に受信している主情報以外の、現在放送されている主情報、または以後放送される主情報の中から、希望する主情報を、現に受信している主情報の聴取または視聴を妨げられることなく、容易かつ確実に検索することができ、選局することができる。
【００１６】
【発明の実施の形態】
〔受信機の構成の概要〕
図１は、この発明の受信機の一例を示し、音声情報に付加情報が多重されたデジタルラジオ放送を受信するものである。
【００１７】
デジタルラジオ放送では、ＰＣＭ（パルス符号変調）によってデジタル化した音声情報を、ＭＰＥＧ（Ｍｏｖｉｎｇ  Ｐｉｃｔｕｒｅ  Ｅｘｐｅｒｔｓ  Ｇｒｏｕｐ）−１  Ａｕｄｉｏ  Ｌａｙｅｒ−IIなどの圧縮方式によって圧縮符号化し、さらに伝送路符号化（誤り訂正の機能の付加）するとともに、付加情報を伝送路符号化して、音声情報と付加情報を多重化し、その多重化された信号を、ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘ）などの変調方式によって変調し、ＲＦ信号に変換して送信する。
【００１８】
受信機１００では、アンテナ１１１で受信された放送信号が、チューナ部１１２で、選択され、周波数変換され、復調された上で、伝送路復号化部１１３で、伝送路復号化され、さらに音声情報については、オーディオ復号化部１１４で、伸長復号化され、Ｄ／Ａ変換部１１５で、アナログ音声信号に変換され、オーディオアンプ１１６，１１７で、アナログ音声信号が増幅されて、スピーカ１１８，１１９に供給される。
【００１９】
受信機１００は、車載機やポータブル機などとして構成することができ、車載機として構成する場合には、スピーカ１１８，１１９として、車に設けられたスピーカが用いられ、ポータブル機として構成する場合には、例えば、スピーカ１１８，１１９の代わりに、ヘッドホンやイヤホンが接続される。
【００２０】
付加情報は、伝送路復号化部１１３で伝送路復号化された後、受信機１００のシステムコントローラ１２０に取り込まれる。
【００２１】
システムコントローラ１２０は、ＣＰＵ１２１を備え、そのバス１２２に、後述の付加情報記録処理ルーチン、並べ替え処理ルーチン、現放送内検索の処理ルーチン、待ち受け受信の処理ルーチンなどを含むプログラムや、付加情報の表示用の文字フォントなどの固定データが格納されたＲＯＭ１２３、およびＣＰＵ１２１のワークエリアなどとして機能するＲＡＭ１２４が接続される。
【００２２】
また、バス１２２には、付加情報の記録用のメモリ１３０が接続される。ただし、メモリ１３０として、ＲＡＭ１２４の一部のエリアを用いることもできる。メモリ１３０としては、比較的小容量のものが用いられ、そのため、メモリ１３０が一杯になったときには、古い付加情報が破棄され、新たな付加情報が蓄えられるように構成される。
【００２３】
さらに、バス１２２には、各種のボタンやキーなどからなる操作部１４０、およびＬＣＤ駆動部１５０が接続され、ＬＣＤ駆動部１５０に、ＬＣＤ１６０が接続される。
【００２４】
図２は、受信機の外観の一例を示す。この例では、受信機１００の正面部に、ＬＣＤ１６０が設けられるとともに、電源ボタン１４１、プリセットボタン１４３、ブックマークボタン１４５、および表示切替ボタン１４７が設けられ、受信機１００の上部に、ジョグダイヤル１４９が設けられる。
【００２５】
プリセットボタン１４３は、受信機１００に対して各種の設定を行うための操作手段であり、ブックマークボタン１４５は、付加情報の取り込み用、すなわち後述のように付加情報を単位データのブックマークデータとしてメモリ１３０に記録するための操作手段である。
【００２６】
表示切替ボタン１４７は、ＬＣＤ１６０上の表示を切り替えるための操作手段であり、ジョグダイヤル１４９は、回転と押下の２つの操作を行うことができ、左方向または右方向に回転させることによって、ＬＣＤ１６０上の表示をスクロールすることができ、押下することによって、選択や決定などの操作を行うことができるものである。
【００２７】
〔付加情報の記録および並べ替え〕
（付加情報の記録）
上述した受信機１００では、ある番組の受信中にユーザがブックマークボタン１４５を押すと、システムコントローラ１２０は、受信中の番組の付加情報を、単位データのブックマークデータとしてメモリ１３０に記録する。図３は、この場合のＣＰＵ１２１が行う付加情報記録処理ルーチンの一例を示す。
【００２８】
この付加情報記録処理ルーチン１０では、ＣＰＵ１２１は、番組の受信中にブックマークボタン１４５が操作されることによって記録処理を開始して、まずステップ１１で、受信中の番組の付加情報を取得し、次にステップ１２に進んで、その付加情報を項目別のデータ構造に整え、次にステップ１３に進んで、その付加情報をブックマークデータとしてメモリ１３０に記録する。
【００２９】
付加情報は、例えば、タイムスタンプ、サービスＩＤ、放送局名、番組名、番組カテゴリー、曲名、アーティスト名、付随情報などの各項目の情報が、具体的な曲名やアーティスト名などを示す実データに対して、項目を示すコードなどからなるヘッダ部が付加されて、多重される。
【００３０】
ステップ１２では、そのヘッダ部の項目を示すコードをもとに、例えば、図４に示すように、項目１としてタイムスタンプを、項目２としてサービスＩＤを、項目３として放送局名を、項目４として番組名を、項目５として番組カテゴリーを、項目６として曲名を、項目７としてアーティスト名を、項目８として付随情報を、それぞれ配列し、ＬＣＤ１６０上には、それぞれの項目に分けられて表示されるように、付加情報のデータ構造を整える。
【００３１】
これによって、ブックマークデータＢＭとしてメモリ１３０に記録された付加情報をＬＣＤ１６０上に呼び出したとき、「番組カテゴリー」「曲名」「アーティスト名」などの項目名を付さなくても、何が具体的な番組カテゴリーであり、何が具体的な曲名やアーティスト名であるかなどが、一目で分かるようになる。
【００３２】
メモリ１３０には、ブックマークボタン１４５を押すごとに、上述した方法でブックマークデータが記録される。記録されたブックマークデータは、ある項目のデータをタグとして並べ替えて表示することができるように、項目ごとに管理される。
【００３３】
図５は、メモリ１３０に９個のブックマークデータＢＭ１〜ＢＭ９が記録された状態を示す。同図に示すように、ブックマークデータは時系列順に記録され、メモリ１３０が一杯になったときには、古いブックマークデータが破棄されて、新たなブックマークデータが記録される。
【００３４】
番組カテゴリーとして、音楽番組としては、「Ｃｌａｓｓｉｃａｌ  Ｍｕｓｉｃ」「Ｌｏｃｋ  Ｍｕｓｉｃ」「Ｍｏｄｅｒｎ  Ｊａｚｚ」などが考えられ、そのほかに、ニュース、スポーツ、天気予報、交通情報などが考えられる。ニュースやスポーツなども、さらに細分されることが考えられる。
【００３５】
（付加情報の並べ替え）
さらに、システムコントローラ１２０は、メモリ１３０に記録されているブックマークデータをＬＣＤ１６０上に表示するとき、ユーザの操作に基づいてブックマークデータを並べ替えて表示する。ユーザは、メモリ１３０に記録されているブックマークデータをＬＣＤ１６０上に呼び出すとき、表示切替ボタン１４７を操作して、並べ替えのメニューをＬＣＤ１６０上に表示させ、ジョグダイヤル１４９を操作して、その中から並べ替えのタグとなる項目を指定する。
【００３６】
図６は、この場合のＣＰＵ１２１が行う並べ替え処理ルーチンの一例を示す。この並べ替え処理ルーチン２０では、ＣＰＵ１２１は、上記のような項目を指定した並べ替えの操作によって処理を開始して、まずステップ２１で、メモリ１３０に記録されているブックマークデータから、指定された項目のデータを取得する。
【００３７】
例えば、図４に示した項目１のタイムスタンプが指定されたときには、各ブックマークデータの具体的なタイムスタンプを取得し、項目５の番組カテゴリーが指定されたときには、各ブックマークデータの具体的な番組カテゴリー（「Ｃｌａｓｓｉｃａｌ  Ｍｕｓｉｃ」「Ｌｏｃｋ  Ｍｕｓｉｃ」「Ｍｏｄｅｒｎ  Ｊａｚｚ」など）を取得する。
【００３８】
次に、ＣＰＵ１２１は、ステップ２２に進んで、その項目のデータをタグとしてブックマークデータを並べ替え、さらにステップ２３に進んで、その並べ替え後のブックマークデータをＬＣＤ１６０上に表示する。
【００３９】
この場合、タイムスタンプが指定されたときには、例えば、タイムスタンプによって示される時刻が現在の時刻に近いブックマークデータほど先行するように、ブックマークデータを並べ替え、それ以外の番組カテゴリーなどの項目が指定されたときには、例えば、その項目の「Ｃｌａｓｓｉｃａｌ  Ｍｕｓｉｃ」「Ｌｏｃｋ  Ｍｕｓｉｃ」「Ｍｏｄｅｒｎ  Ｊａｚｚ」などのデータの最初の文字コードの値が小さいブックマークデータほど先行するように、ブックマークデータを並べ替える。
【００４０】
“Ａ”から“Ｚ”までのアルファベットの間では、“Ａ”が最も文字コードの値が小さく、“Ｚ”が最も文字コードの値が大きいので、タグとして番組カテゴリーが指定された場合、図７に示すように、番組カテゴリーが「Ｃｌａｓｓｉｃａｌ  Ｍｕｓｉｃ」であるブックマークデータＢＭ８が、番組カテゴリーが「Ｍｏｄｅｒｎ  Ｊａｚｚ」であるブックマークデータＢＭ１より先行するように、ブックマークデータが並べ替えられることになる。
【００４１】
ただし、ＬＣＤ１６０の画面は比較的小さいので、並べ替え後のブックマークデータは、全体が一度に表示されずに、表示切替ボタン１４７の操作による表示切替、またはジョグダイヤル１４９の回転によるスクロールによって、全体が表示されるようになる。
【００４２】
このように、ユーザが指定した項目のデータをタグとして、ブックマークデータが並べ替えられて表示されるので、ユーザは、ブックマークデータの内容を容易に閲覧することができる。
【００４３】
〔現放送内検索および待ち受け受信〕
デジタルラジオ放送の放送システムによっては、現に受信している番組の付加情報だけでなく、同時に放送されている全ての番組の付加情報を受信することができる。
【００４４】
このようなシステムの放送を受信機１００で受信する場合には、受信機１００は、ユーザによって指示されたデータを検索データとして、システムコントラスト１２０が、現在放送されている番組、または以後放送される番組の付加情報を順次検索して、付加情報中に検索データが含まれている番組を検出するように構成する。
【００４５】
これによって、ユーザは、「Ｍｏｄｅｒｎ  Ｊａｚｚ」の番組など、希望する番組を、現に受信している番組の聴取を妨げられることなく、容易かつ確実に検索することができ、現に受信している番組に代えて選局することができる。
【００４６】
この場合、ユーザは、まず、上述したように項目を指定して並べ替えの操作を行うことによって、図７に示したように並べ替え後のブックマークデータをＬＣＤ１６０上に表示させ、次に、図８（Ａ）に示すように、例えば、ブックマークデータＢＭ１中の「Ｍｏｄｅｒｎ  Ｊａｚｚ」を選択することによって、検索データとして「Ｍｏｄｅｒｎ  Ｊａｚｚ」を指示し、次に、ＬＣＤ１６０上の表示を、図８（Ｂ）に示すようなメニュー画面に切り替えて、「現放送内検索」か「待ち受け受信」のいずれかを選択し、「現放送内検索」を選択した場合には、さらに図８（Ｃ）に示すようなメニュー画面から、「自動選局」「順次通知」「一括通知」のいずれかを選択し、「待ち受け受信」を選択した場合には、図８（Ｃ）に示すようなメニュー画面、または図では省略したメニュー画面から、「自動選局」か「順次通知」のいずれかを選択する。
【００４７】
これによって、ＣＰＵ１２１は、以下に示すような処理ルーチンによって、現在放送されている番組内での検索、または以後放送される番組を含めた待ち受け受信の検索を実行する。
【００４８】
ただし、例えば、ユーザが検索データとして「Ｍｏｄｅｒｎ  Ｊａｚｚ」を指示しても、放送局などによっては、付加情報中の番組カテゴリーを「ＭＯＤＥＲＮ  ＪＡＺＺ」「Ｊａｚｚ」「ＪＡＺＺ」などとして番組を放送することも考えられる。
【００４９】
そこで、ＣＰＵ１２１が付加情報中に検索データが含まれているか否かを判断するに当たっては、付加情報と検索データとの間に上記のような程度の違いがあるだけのときには、付加情報中に検索データが含まれていると判断するように、処理ルーチンのソフトウェアを構成する。
【００５０】
また、検索データとして、複数の情報を、それらの論理和または論理積の形式で指示することができるように構成してもよい。例えば、ユーザが検索データとして、特定のアーティスト名と曲名を、両者の論理和として指示することによって、後述の処理ルーチンでは、冬中に、そのアーティスト名と曲名のいずれかが含まれている番組を検索し、または、ユーザが検索データとして、特定のアーティスト名と曲名を、両者の論理積として指示することによって、後述の処理ルーチンでは、冬中に、そのアーティスト名と曲名のいずれもが含まれている番組を検索するように構成することができる。
【００５１】
（現放送内検索の自動選局）
図９は、「現放送内検索」の「自動選局」が選択された場合のＣＰＵ１２１が行う処理ルーチンの一例を示す。
【００５２】
この現放送内検索自動選局処理ルーチン３０では、ＣＰＵ１２１は、ユーザが上記の操作および選択を行うことによって処理を開始して、まずステップ３１で、メモリ１３０に記録されているブックマークデータから検索データを取得し、次にステップ３２に進んで、現在放送されている番組中の次の番組の付加情報を検索し、次にステップ３３に進んで、その付加情報が検索データに合致する（その付加情報中に検索データが含まれている）か否かを判断し、合致していなければ、ステップ３４に進んで、現在放送されている全ての番組を一巡したか否かを判断し、一巡していなければ、ステップ３２に戻って、さらに次の番組の付加情報を検索する。
【００５３】
ステップ３３で、付加情報が検索データに合致すると判断したときには、ステップ３５に進んで、合致する番組（付加情報中に検索データが含まれている番組）が検出されたことを、ＬＣＤ１６０上に表示してユーザに通知し、さらにステップ３７に進んで、その番組を選局して、現放送内検索自動選局処理を終了する。
【００５４】
ステップ３４で、全番組を一巡したと判断したときには、ステップ３８に進んで、現在放送されている番組中には合致する番組がない旨をユーザに通知して、現放送内検索自動選局処理を終了する。
【００５５】
この例によれば、ユーザは、ブックマークデータ中の一部のデータを検索データとして指示して、メニュー中から「現放送内検索」の「自動選局」を選択するだけで、現在放送されている全ての番組の中から、希望する番組、例えば「Ｍｏｄｅｒｎ  Ｊａｚｚ」の番組を受信することができるとともに、検索中は、現に受信している番組の聴取を妨げられることがない。
【００５６】
（現放送内検索の順次通知）
図１０は、「現放送内検索」の「順次通知」が選択された場合のＣＰＵ１２１が行う処理ルーチンの一例を示す。
【００５７】
この現放送内検索順次通知処理ルーチン４０では、ＣＰＵ１２１は、ユーザが上記の操作および選択を行うことによって処理を開始して、まずステップ４１で、ブックマークデータから検索データを取得し、次にステップ４２に進んで、現在放送されている番組中の次の番組の付加情報を検索し、次にステップ４３に進んで、その付加情報が検索データに合致するか否かを判断し、合致しなければ、ステップ４４に進んで、現在放送されている全ての番組を一巡したか否かを判断し、一巡していなければ、ステップ４２に戻って、さらに次の番組の付加情報を検索する。
【００５８】
ステップ４３で、付加情報が検索データに合致すると判断したときには、ステップ４５に進んで、合致する番組が検出されたこと、およびその番組の付加情報を、ＬＣＤ１６０上に表示してユーザに通知する。
【００５９】
ユーザは、その表示を見て、曲名やアーティスト名などから、その番組を選択するか否かを判断し、選択する場合には、ジョグダイヤル１４９を押圧する。
【００６０】
ＣＰＵ１２１は、ステップ４５でユーザに通知した後、ステップ４６に進んで、ユーザがその番組を選択したか否かを判断し、選択しなかったときには、ステップ４４に進んで、全番組を一巡したか否かを判断し、一巡していなければ、ステップ４２に戻って、さらに次の番組の付加情報を検索する。
【００６１】
ステップ４６で、ユーザがその番組を選択したと判断したときには、ステップ４７に進んで、その番組を選局して、現放送内検索順次通知処理を終了する。ステップ４４で、全番組を一巡したと判断したときには、ステップ４８に進んで、全番組を一巡した旨をユーザに通知して、現放送内検索順次通知処理を終了する。
【００６２】
この例では、図９の例のように最初に検出された番組が自動的に選局される代わりに、選局するか否かがユーザの判断に委ねられるが、ユーザは、容易に希望する番組を受信することができるとともに、検索中は、現に受信している番組の聴取を妨げられることがない。
【００６３】
（現放送内検索の一括通知）
図１１は、「現放送内検索」の「一括通知」が選択された場合のＣＰＵ１２１が行う処理ルーチンの一例を示す。
【００６４】
この現放送内検索一括通知処理ルーチン５０では、ＣＰＵ１２１は、ユーザが上記の操作および選択を行うことによって処理を開始して、まずステップ５１で、ブックマークデータから検索データを取得し、次にステップ５２に進んで、現在放送されている番組中の次の番組の付加情報を検索し、次にステップ５３に進んで、その付加情報が検索データに合致するか否かを判断する。
【００６５】
そして、その付加情報が検索データに合致するときには、ステップ５３からステップ６１に進んで、その付加情報をＲＡＭ１２４に記憶した上で、ステップ５４に進み、その付加情報が検索データに合致しないときには、ステップ５３から直接、ステップ５４に進む。
【００６６】
ステップ５４では、現在放送されている全ての番組を一巡したか否かを判断し、一巡していなければ、ステップ５２に戻って、さらに次の番組の付加情報を検索する。
【００６７】
ステップ５４で、全番組を一巡したと判断したときには、ステップ６２に進んで、検索データに合致した付加情報がＲＡＭ１２４に記憶されているか否かを判断し、記憶されているときには、ステップ６３に進んで、検索データに合致した全ての付加情報を一括して、ＬＣＤ１６０上に表示してユーザに通知する。
【００６８】
ユーザは、その表示を見て、いずれかの番組を選択し、または、希望する番組がなければ、いずれの番組も選択しないことができる。
【００６９】
ＣＰＵ１２１は、ステップ６３でユーザに通知した後、ステップ５６に進んで、ユーザがいずれかの番組を選択したか否かを判断し、いずれかの番組を選択したときには、ステップ５７に進んで、ユーザの選択した番組を選局して、現放送内検索一括通知処理を終了し、いずれの番組も選択しなかったときには、そのまま、現放送内検索一括通知処理を終了する。
【００７０】
ステップ６２で、検索データに合致した付加情報がＲＡＭ１２４に記憶されていないと判断したときには、ステップ５８に進んで、現在放送されている番組中には合致する番組がない旨をユーザに通知して、現放送内検索一括通知処理を終了する。
【００７１】
この例によれば、ユーザの希望する番組、例えば「Ｍｏｄｅｒｎ  Ｊａｚｚ」の番組が複数、放送されているとき、ユーザは、そのうちから最も希望する番組を選択して受信することができる。
【００７２】
（待ち受け受信の自動選局）
図１２は、「待ち受け受信」の「自動選局」が選択された場合のＣＰＵ１２１が行う処理ルーチンの一例を示す。
【００７３】
この待ち受け受信自動選局処理ルーチン７０では、ＣＰＵ１２１は、ユーザが上記の操作および選択を行うことによって処理を開始して、まずステップ７１で、ブックマークデータから検索データを取得し、次にステップ７２に進んで、以後放送される番組中の次の番組の付加情報を検索し、次にステップ７３に進んで、その付加情報が検索データに合致するか否かを判断し、合致しなければ、ステップ７４に進んで、検索を中止するか否かを判断し、後述のようにユーザが検索の中止を指示していなければ、ステップ７２に戻って、さらに次の番組の付加情報を検索する。
【００７４】
ステップ７３で、付加情報が検索データに合致すると判断したときには、ステップ７５に進んで、合致する番組が検出されたことをユーザに通知し、さらにステップ７７に進んで、その番組を選局して、待ち受け受信自動選局処理を終了する。
【００７５】
ユーザの検索中止の指示によって、ステップ７４で、検索を中止すると判断したときには、そのまま、待ち受け受信自動選局処理を終了する。
【００７６】
ユーザは、検索中、いつでも、表示切替ボタン１４７を操作して、検索中止のメニューをＬＣＤ１６０上に呼び出し、ジョグダイヤル１４９を操作して、検索の中止を指示することができる。
【００７７】
この例によれば、ユーザは、ブックマークデータ中の一部のデータを検索データとして指示して、メニュー中から「待ち受け受信」の「自動選局」を選択するだけで、以後放送される全ての番組の中から、希望する番組、例えば「Ｍｏｄｅｒｎ  Ｊａｚｚ」の番組を受信することができるとともに、検索中は、現に受信している番組の聴取を妨げられることがない。
【００７８】
（待ち受け受信の順次通知）
図１３は、「待ち受け受信」の「順次通知」が選択された場合のＣＰＵ１２１が行う処理ルーチンの一例を示す。
【００７９】
この待ち受け受信順次通知処理ルーチン８０では、ＣＰＵ１２１は、ユーザが上記の操作および選択を行うことによって処理を開始して、まずステップ８１で、ブックマークデータから検索データを取得し、次にステップ８２に進んで、以後放送される番組中の次の番組の付加情報を検索し、次にステップ８３に進んで、その付加情報が検索データに合致するか否かを判断し、合致しなければ、ステップ８４に進んで、検索を中止するか否かを判断し、ユーザが検索の中止を指示していなければ、ステップ８２に戻って、さらに次の番組の付加情報を検索する。
【００８０】
ステップ８３で、付加情報が検索データに合致すると判断したときには、ステップ８５に進んで、合致する番組が検出されたこと、およびその番組の付加情報を、ＬＣＤ１６０上に表示してユーザに通知する。
【００８１】
ユーザは、その表示を見て、曲名やアーティスト名などから、その番組を選択するか否かを判断し、選択する場合には、ジョグダイヤル１４９を押圧する。
【００８２】
ＣＰＵ１２１は、ステップ８５でユーザに通知した後、ステップ８６に進んで、ユーザがその番組を選択したか否かを判断し、選択しなかったときには、ステップ８４に進んで、検索を中止するか否かを判断し、ユーザが検索の中止を指示していなければ、ステップ８２に戻って、さらに次の番組の付加情報を検索する。
【００８３】
ステップ８６で、ユーザがその番組を選択したと判断したときには、ステップ８７に進んで、その番組を選局して、待ち受け受信順次通知処理を終了する。ステップ８４で、検索を中止すると判断したときには、そのまま、待ち受け受信順次通知処理を終了する。
【００８４】
この例では、図１２の例のように最初に検出された番組が自動的に選局される代わりに、選局するか否かがユーザの判断に委ねられるが、ユーザは、容易に希望する番組を受信することができるとともに、検索中は、現に受信している番組の聴取を妨げられることがない。
【００８５】
〔他の実施形態〕
操作部１４０の具体的構成は、図２に示して上述した例に限らず、適宜変更することができる。
【００８６】
また、上述した実施形態は、音声情報に付加情報が多重されたデジタルラジオ放送を受信する場合であるが、この発明は、デジタルラジオ放送に限らず、映像情報（および音声情報）に付加情報が多重されたデジタルテレビ放送など、一般に、音声情報または映像情報に付加情報が多重された放送を受信する場合に適用することができる。
【００８７】
【発明の効果】
上述したように、この発明によれば、ユーザは、ディスプレイを見なくても、容易かつ確実に、必要とする付加情報を保存しておくことができ、後で参照することができる。
【００８８】
しかも、現に受信している主情報以外の、現在放送されている主情報、または以後放送される主情報の中から、希望する主情報を、現に受信している主情報の聴取または視聴を妨げられることなく、容易かつ確実に検索することができ、選局することができる。
【図面の簡単な説明】
【図１】この発明の受信機の一例の機能構成を示す図である。
【図２】この発明の受信機の一例の外観を示す図である。
【図３】付加情報記録処理ルーチンの一例を示す図である。
【図４】項目別のデータ構造とされたブックマークデータの一例を示す図である。
【図５】メモリ上のブックマークデータの記録態様の一例を示す図である。
【図６】並べ替え処理ルーチンの一例を示す図である。
【図７】並べ替え後のブックマークデータの表示態様の一例を示す図である。
【図８】現放送内検索および待ち受け受信のための表示の一例を示す図である。
【図９】現放送内検索自動選局処理ルーチンの一例を示す図である。
【図１０】現放送内検索順次通知処理ルーチンの一例を示す図である。
【図１１】現放送内検索一括通知処理ルーチンの一例を示す図である。
【図１２】待ち受け受信自動選局処理ルーチンの一例を示す図である。
【図１３】待ち受け受信順次通知処理ルーチンの一例を示す図である。
【符号の説明】
主要部については図中に全て記述したので、ここでは省略する。
【図１】
0004038642.tif 000002
【図２】
0004038642.tif 000003
【図３】
0004038642.tif 000004
【図４】
0004038642.tif 000005
【図５】
0004038642.tif 000006
【図６】
0004038642.tif 000007
【図７】
0004038642.tif 000008
【図８】
0004038642.tif 000009
【図９】
0004038642.tif 000010
【図１０】
0004038642.tif 000011
【図１１】
0004038642.tif 000012
【図１２】
0004038642.tif 000013
【図１３】
0004038642.tif 000014